【手続補正書】
【提出日】平成30年9月19日(2018.9.19)
【手続補正１】
【補正対象書類名】特許請求の範囲
【補正対象項目名】全文
【補正方法】変更
【補正の内容】
【特許請求の範囲】
【請求項１】
コンテンツ配信ネットワークにおけるコンテンツ配信方法であって、
前記コンテンツ配信ネットワークの第１ティアのサーバの第１のサーバにおいて、前記コンテンツ配信ネットワークから入手可能なリソースに対する要求を、要求デバイスから受信する段階と、
要求された前記リソースに関連付けられる人気度指定を決定すべく、前記コンテンツ配信ネットワークに関連付けられる人気度サービスにアクセスする段階と、
前記コンテンツ配信ネットワークの第２のサーバから、前記リソースを要求する段階と、
前記コンテンツ配信ネットワークのコンテンツサーバから前記リソースを取得すべく、前記第１ティアのサーバの前記第１のサーバにおいて、前記コンテンツ配信ネットワークの前記第２のサーバからのリダイレクト命令を処理する段階と、
前記要求デバイスに、取得された前記リソースを提供する段階と、
を備える、方法。
【請求項２】
前記要求デバイスからの前記要求は、前記リソースの部分に対するものであり、前記方法は、
前記リソースの前記部分が前記リソースの初期部分であるか否かを決定する段階
を備え、
前記アクセスする段階は、前記リソースの前記部分が前記リソースの初期部分である場合にのみ実行され、
前記決定された人気度指定は、前記リソースの要求された前記部分に関連付けられる人気度指定であり、
前記第２のサーバから前記リソースを前記要求する段階は、前記リソースの前記部分を要求し、
前記処理する段階は、前記コンテンツサーバから前記部分を取得すべく、前記第２のサーバからの前記リダイレクト命令を処理し、
前記提供する段階は、前記第１ティアのサーバの前記第１のサーバから、前記リソースの取得された部分を前記要求デバイスに提供する、請求項１に記載の方法。
【請求項３】
要求された前記リソースに関連付けられる前記人気度指定は、要求された前記リソースは人気がないことを示し、前記方法は、前記リソースが前記コンテンツ配信ネットワークの前記コンテンツサーバから取得された場合に、前記第１ティアのサーバの前記第１のサーバにおいて、前記リソースをキャッシュしないという命令を受信する段階をさらに備える、請求項１又は２に記載の方法。
【請求項４】
要求された前記リソースに関連付けられる前記人気度指定は、要求された前記リソースは人気があることを示し、前記方法は、前記リソースが前記コンテンツ配信ネットワークの前記コンテンツサーバから取得された場合に、前記第１ティアのサーバの前記第１のサーバにおいて、前記リソースをキャッシュするという命令を受信する段階をさらに備える、請求項１又は３に記載の方法。
【請求項５】
前記第２のサーバは、前記コンテンツ配信ネットワークの都市ミッドティアサーバである、請求項１から４のいずれか１項に記載の方法。
【請求項６】
前記第２のサーバは、前記コンテンツ配信ネットワークの前記第１ティアのサーバのピアサーバである、請求項１から５のいずれか１項に記載の方法。
【請求項７】
要求された前記リソースに関連付けられる前記人気度指定は、前記リソースの現在の人気度値が第１の予め定められた人気度閾値を超えるか否かについての指示を含む、請求項１から６のいずれか１項に記載の方法。
【請求項８】
前記人気度サービスは、前記コンテンツ配信ネットワークの前記第２のサーバに関連付けられる、又は、前記人気度サービスは、前記コンテンツ配信ネットワークの前記第１ティアのサーバの前記第１のサーバに関連付けられる、のいずれかである、請求項７に記載の方法。
【請求項９】
前記コンテンツ配信ネットワークは、前記第１ティアのサーバとは別の第２ティアのサーバをさらに含み、前記第２のサーバは、前記第２ティアのサーバにある、請求項１から８のいずれか１項に記載の方法。
【請求項１０】
前記コンテンツ配信ネットワークの前記第１ティアのサーバの前記第１のサーバにおいて、前記コンテンツ配信ネットワークから入手可能な前記リソースに対する更なる要求を受信する段階と、
前記リソースが、前記第１ティアのサーバの前記第１のサーバにおいてキャッシュされることを決定する段階と、
前記リソースに対する前記更なる要求に応答して、前記第１ティアのサーバの前記第１のサーバから、キャッシュされた前記リソースを提供する段階と、
をさらに備える、請求項２から９のいずれか１項に記載の方法。
【請求項１１】
コンテンツ配信ネットワークであって、
第１の複数のサーバを含む第１ティアのサーバであって、前記第１ティアのサーバのエッジサーバは、前記コンテンツ配信ネットワークから入手可能なリソースに対する要求を、前記エッジサーバと通信を行う要求デバイスから受信する、第１ティアのサーバと、
第２の複数のサーバを含む第２ティアのサーバであって、前記第２の複数のサーバの第１のサーバは、前記リソースに対する要求を前記エッジサーバから受信し、これに応答して、コンテンツサーバから前記リソースを取得すべく、前記要求デバイスを対象とするリダイレクト命令を前記エッジサーバに送信する、第２ティアのサーバと、
要求された前記リソースに関連付けられる人気度指定を追跡する人気度サービスと、
を備え、
前記エッジサーバは、前記リダイレクト命令を処理し、前記コンテンツサーバから前記リソースを取得し、取得された前記リソースを前記要求デバイスに提供する、コンテンツ配信ネットワーク。
【請求項１２】
要求された前記リソースに関連付けられる前記人気度指定は、要求された前記リソースは人気がないことを示し、前記第２の複数のサーバの前記第１のサーバは、前記リソースが前記コンテンツサーバから取得された場合に、前記第１ティアのサーバの前記コンテンツサーバにおいて、前記リソースをキャッシュしないという命令を送信する、請求項１１に記載のコンテンツ配信ネットワーク。
【請求項１３】
要求された前記リソースに関連付けられる前記人気度指定は、要求された前記リソースは人気があることを示し、前記第２の複数のサーバの前記第１のサーバは、前記リソースが前記コンテンツサーバから取得された場合に、前記第１ティアのサーバの前記コンテンツサーバにおいて、前記リソースをキャッシュするという命令を送信する、請求項１１又は１２に記載のコンテンツ配信ネットワーク。
【請求項１４】
前記第２の複数のサーバの前記第１のサーバは、前記コンテンツ配信ネットワークの都市ミッドティアサーバである、請求項１１から１３のいずれか１項に記載のコンテンツ配信ネットワーク。
【請求項１５】
前記第２の複数のサーバの前記第１のサーバは、前記コンテンツ配信ネットワークの前記第１ティアのサーバのピアサーバである、請求項１１から１４のいずれか１項に記載のコンテンツ配信ネットワーク。
【請求項１６】
要求された前記リソースに関連付けられる前記人気度指定は、前記リソースの現在の人気度値が第１の予め定められた人気度閾値を超えるか否かについての指示を含む、請求項１１から１５のいずれか１項に記載のコンテンツ配信ネットワーク。
【請求項１７】
前記人気度サービスは、前記コンテンツ配信ネットワークの前記第２の複数のサーバの前記第１のサーバに関連付けられる、請求項１６に記載のコンテンツ配信ネットワーク。
【請求項１８】
前記人気度サービスは、前記コンテンツ配信ネットワークの前記第１ティアのサーバの前記コンテンツサーバに関連付けられる、請求項１６に記載のコンテンツ配信ネットワーク。
【請求項１９】
コンテンツ配信ネットワークにおけるコンテンツ配信方法であって、
前記コンテンツ配信ネットワークの第１ティアのサーバの第１のサーバにおいて、前記コンテンツ配信ネットワークから入手可能なリソースに対する要求を、要求デバイスから受信する段階と、
要求された前記リソースに関連付けられる人気度指定を決定すべく、前記コンテンツ配信ネットワークの前記第１ティアの前記第１のサーバに関連付けられる人気度サービスにアクセスする段階と、
前記第１ティアのサーバの前記第１のサーバにおいて、前記リソースをキャッシュしないという命令を受信する段階と、
要求された前記リソースに関連付けられる前記人気度指定に少なくとも基づいて、前記コンテンツ配信ネットワークの第２のサーバから、前記リソースを要求する段階と、
取得された前記リソースを前記要求デバイスに提供する段階と、
を備える方法。
【請求項２０】
前記コンテンツ配信ネットワークの前記第２のサーバは、要求された前記リソースを格納するコンテンツサーバである、請求項１９に記載の方法。